(57)【要約】【課題】ナビゲーション装置において、情報提供センタでナビゲーション情報が更新された場合、すぐにこの更新データのダウンロードやインストールができるようにする。【解決手段】更新データを提供するセンタ側に予めダウンロード要求情報を送っておく。センタ側で更新データが追加されると、この旨をナビユニットに通知する。ナビゲーションが実行中では、ナビゲーション画面▲２▼−１にこの通知を示すアイコン２８を表示し、所定の操作により、かかる更新データのダウンロードやインストールができるようにする。また、更新データがナビゲーションのプログラムなどナビ用プログラムを使用できないようなものであるときには、更新データがある旨のメッセージ２９を表わし、ダウンロードをするか否かを問い合わせる更新データ画面▲２▼−２を表示する。【選択図】　　　　図１２
2004012319.tif 000002
【特許請求の範囲】
【請求項１】
双方向通信手段を用いることにより、情報提供するセンタ側から地図データや施設情報などのナビゲーション情報をバーションアップするための更新データをナビゲーション装置にダウンロードし、ダウンロードされた該更新データをインストールしてナビゲーション情報のバージョンアップを図る方式であって、
少なくとも前記ナビゲーション装置で更新を必要とするナビゲーション情報の種別を示す種別情報と、現在使用しているナビゲーション情報のバージョンを示すバージョン情報と、前記ナビゲーション装置自体の識別情報とを有するダウンロード要求情報を予め該センタ側に送信し、
該センタ側では、受信した該ダウンロード要求情報を保持して該ダウンロード要求情報に該当する更新データが存在するとき、まず、その旨を示す更新データ情報を該ナビゲーション装置に送信して該更新データ有りの通知をし、
該ナビゲーション装置で、該センタ側からの該更新データ情報を受信して、表示部に該通知を表示させることを特徴とするナビゲーション情報のバージョンアップ方式。
【請求項２】
双方向通信手段を用いることにより、情報提供するセンタ側からナビゲーション情報のバーションアップのための更新データをダウンロードし、ダウンロードされた該更新データをインストールしてナビゲーション情報のバージョンアップを図るナビゲーション装置であって、
少なくとも前記ナビゲーション装置で更新を必要とするナビゲーション情報の種別を示す種別情報と、現在使用しているナビゲーション情報のバージョンを示すバージョン情報と、前記ナビゲーション装置自体の識別情報とを有するダウンロード要求情報を予め該センタ側に送信し、該センタ側からの該更新データ情報の通知を受けて、表示部に該通知を表示することを特徴とするナビゲーション装置。
【請求項３】
請求項２において、
前記種別情報は、ダウンロードを必要とする更新データに関わる地域を表わす通知地域設定情報と、ナビゲーション情報を構成する情報のジャンルを表わす通知内容設定情報とを有することを特徴とするナビゲーション装置。
【請求項４】
請求項３において、
前記ナビゲーション装置の表示部に全体地図を地域毎に区分して示す通知地域選択画面を表示し、該通知地域選択画面から所望とする地域を選択することにより、前記通知地域設定情報を生成することを特徴とするナビゲーション装置。
【請求項５】
請求項３において、
前記ナビゲーション装置の表示部に前記ジャンルのリストを示す通知内容選択画面を表示し、該通知内容選択画面から所望のジャンルを選択することにより、前記通知内容設定情報を生成することを特徴とするナビゲーション装置。
【請求項６】
請求項２〜５のいずれか１つにおいて、
前記ナビゲーション装置が起動しているときには、前記更新データがダウンロードされるまで、前記通知をナビゲーション画面にアイコンで表示し、
ダウンロードされないまま再起動したときには、ダウンロードの可否を問い合わせる更新データ画面を最初に表示することを特徴とするナビゲーション装置。
【請求項７】
請求項２〜５のいずれか１つにおいて、
前記通知に対して、前記センタから前記更新データのダウンロードをするときには、前記ナビゲーション装置の前記表示部に、ダウンロード中であることを示すメッセージとダウンロードの進行状況を示す情報とを表示することを特徴とするナビゲーション装置。
【請求項８】
請求項２〜５のいずれか１つにおいて、
前記通知に対して前記センタから前記更新データのダウンロードをするときに、ダウンロード途中で通信に問題が発生する可能性がある場合には、その旨を示す表示を行なうことを特徴とするナビゲーション装置。
【請求項９】
請求項７において、
前記センタからダウンロードされる前記更新データが、有料であるときには、前記ナビゲーション装置の前記表示部に、ダウンロードの可否を問う承認画面を表示し、該承認画面で承認されたときに、前記更新データのダウンロードを開始して前記ダウンロード画面を表示することを特徴とするナビゲーション装置。
【請求項１０】
請求項２〜８のいずれか１つにおいて、
前記ダウンロードされた更新データがプログラムソフトウェア以外の更新データであって、かかる更新データをインストールするときには、ナビゲーション情報のプログラムソフトウェアの動作によって前記ナビゲーション装置の表示部に表示されるナビゲーション画面に、インストール中であることを示すメッセージとインストールの進行状況を示す情報とを表示し、
前記ダウンロードされた更新データがナビゲーションのプログラムソフトウェアの場合、前記ナビゲーション装置の表示部にインストールの可否を問い合わせる画面を表示し、該画面でインストールの実行を指定したときのみ該プログラムソフトウェアの更新データのインストールを実行するとともに、インストール実行中であることを示すメッセージとインストールの進行状況を示す情報とを画面に表示することを特徴とするナビゲーション装置。
【請求項１１】
請求項１０において、
前記ナビゲーション装置の表示部に、インストールした前記更新データを順番に表示し、インストールした前記更新データによる更新部分の内容を確認可能としたことを特徴とするナビゲーション装置。
【請求項１２】
請求項１０において、
前記ナビゲーション装置の表示部に、インストールされた前記更新データをナビゲーション情報のジャンル毎にリスト化して表わすジャンル選択画面を表示し、該ジャンル選択画面で選択されたジャンルの更新データによる更新部分の内容を確認可能としたことを特徴とするナビゲーション装置。
【請求項１３】
請求項１１または１２において、
前記更新データは地図データの更新データであって、前記更新データによる更新部分は、ナビゲーションの地図画面上で強調して表示されることを特徴とするナビゲーション装置。
【発明の詳細な説明】
【０００１】
【発明の属する技術分野】
本発明は、ＨＤＤ（ハード・ディスク・ドライブ）など書換え可能な記憶媒体を備えた、例えば、車載用などのナビゲーション装置、及びその装置における地図情報やプログラムソフトウェアなどのナビゲーション情報のバージョンアップ方式に関する。
【０００２】
【従来の技術】
近年、乗用車などの車両に対して車載用ナビゲーション装置が普及している。かかる車載用ナビゲーション装置は、車両の運転室に設置され、ＧＰＳ（ＧｌｏｂａｌＰｏｓｉｔｉｏｎｉｎｇ　Ｓｙｓｔｅｍ）などを利用してこの車両の位置（自車位置）や走行方向を表わす情報（以下、ＧＰＳ情報という）を取得し、表示画面上に地図とその地図上で車両を導く目的地までの経路とを表示するとともに、この経路上に自車位置を示すカーマークを表示するものである。そして、このカーマークが表示画面の中央部に表示され、車両が移動すると、この位置固定された車両のカーマークが常に経路上にあるように、表示される地図や経路がスクロールし、また、決められた誘導ポイントにくると、例えば、「１００ｍ先の交差点を右折して下さい」といったような音声による誘導が行なわれる。
【０００３】
かかる地図情報の取得方法としては、従来、かかる地図情報やプログラムソフトウェア，案内情報などが格納されたＣＤ−ＲＯＭやＤＶＤなどの記録媒体が販売されており、これを購入して車載用ナビゲーション装置に装着して取得する方法が一般的である。
【０００４】
このような車載用ナビゲーション装置において、ユーザが必要とすることは、常に新しい地図情報やプログラムソフトウェア，案内情報を使用できる環境にあることであり、このために、これらのバーションアップ情報を取得することである。このためには、かかる地図情報やプログラムソフトウェア，案内情報のバージョンアップ情報が記録された上記の記録媒体が販売されると、これを購入して使用すればよいのであるが、かかる記録媒体の発売が年一回程度で行なわれるため、現在のかかる記録媒体によるメンテナンス（バーションアップ処理）では、年一回程度の更新しか行なうことができない。
【０００５】
一方、上記の問題を解消し、車載用ナビゲーション装置での情報のバージョンアップをリアルタイムで可能としたいという要望から、双方向通信を利用して情報提供センタからバージョンアップ情報を取得することができるようにした車載用ナビゲーションシステムが提案されている。
【０００６】
その一例として、特開２０００ー３６０９７に記載のものがあるが、これは親局（センタ）と子局（車載用ナビゲーション装置）との間で双方向通信を行ない、子局からの要求に応じて親局が子局に要求されたエリアの地図情報と地図管理情報とを提供するものである。地図管理情報は地図の管理番号とバージョンとからなり、子局は、まず、地図管理情報の提供を受け、この受信した地図管理情報でのバーションと現在使用している地図情報のバージョンとを比較していずれが新しい地図情報であるかを判定し、現在使用している地図情報が古い場合には、親局からこの地図管理情報に対する新たな地図情報の提供を受け、これで使用する地図情報を更新してナビゲーション情報のバージョンアップを図り、親局から提供される地図情報が現在使用している地図情報に対して新しいものでない場合には地図情報の提供を受けずに現在使用している地図情報をそのまま使用する。
【０００７】
また、親局からの地図情報の提供を要求する方法を子局側で設定することができる。この方法としては、子局の画面での手動操作による手動更新方法と画面操作で設定されると自動的に要求が行なわれる自動設定方法とが選択可能とし、自動設定方法では、１週間毎，２週間毎，１ヶ月毎といった所定期間毎に提供を要求する方法とその他所定の時点で提供を要求する方法とのいずれかをユーザが選択できるようにするものである。かかる所定の時点とは、親局で地図情報の更新があったときや地図情報を使用して車両の誘導を開始するときなどであって、このようなときに、地図情報に対する地図管理情報を子局に送るようにし、バージョンを比較判定して地図情報の更新などを行なうようにする。
【０００８】
なお、かかる従来の車載用ナビゲーションシステムにおいて、地図の更新は、更新対象となるエリア（更新エリア）全体を新たな地図で書き替えるようにしてもよいし、また、親局からは変更エリアでの新たな変更部分のみを地図情報として提供し、これによって変更部分のみを書き替えるようにしてもよい、としている。さらに、この変更部分のみを書き替える場合には、親局から提供されたこの変更部分の地図情報を保存しておき、この変更部分を含むエリアを画面表示するとき、この変更部分を保存されている地図情報で更新するようにしてもよい、としている。
【０００９】
【発明が解決しようとする課題】
しかしながら、上記従来のバージョンアップ方式の手動変更方法の場合、子局は親局にその都度バージョンアップのための情報提供の要求をしなければならず、しかも、手動変更方法が選択された場合には、子局側からは親局にナビゲーション情報のバージョンアップに必要な情報があるか否かを知ることができないため、子局では、無駄な要求操作がなされる場合が多い。
【００１０】
また、自動設定方法が選択された場合には、ユーザの要求操作は一度だけでよいため、操作の手間が省けるが、選択された期間毎に情報提供の要求がなされるため、親局でバージョンアップに必要な新たな情報が追加されても、次の要求が行なわれるまでは、子局はこの情報を取得することができない。
【００１１】
このように、通信手段を用いた上記従来のバージョンアップ方式では、子局側では、このように親局にナビゲーションのバージョンアップに必要な情報が存在しても、それを知ることができず、従って、かかる情報を直ちに取得してナビゲーション情報のバージョンアップを図る、というようなことはできなかった。
【００１２】
本発明の第１の目的は、かかる問題を解消し、ナビゲーション情報の提供側にバージョンアップに必要な情報があると、ナビゲーション情報のユーザ側でほぼリアルタイムでこれを確認することができ、かかる情報の要求に対して確実にかかる情報を取得できてバージョンアップを図ることができるようにしたナビゲーション情報のバージョンアップ方式を提供することにある。
【００１３】
本発明の第２の目的は、ナビゲーション情報のバージョンアップのための一連の動作をユーザが確認し易くしたナビゲーション装置を提供することにある。
【００１４】
また、上記従来のバージョンアップ方式では、バージョンアップに必要な情報をダウンロードし、これをインストールしてナビゲーション情報のバージョンアップを実現するものであり、親局からの情報のダウンロード状態を表示するようにして、ダウンロード中であることを知ることができるようにしているものの、それ以外の動作については、ユーザは知ることができないし、また、バージョンアップによってナビゲーション情報の機能がどのように変更されたか、どのようにバージョンアップされたのかをユーザは知ることができなかった。使用するナビゲーション情報がどのような機能を持つものであるか、バージョンアップによって機能がどのように向上したのかを知ることは、これを使用するユーザにとって必要なことである。例えば、良く利用する通行経路に新しい道路ができて、ナビゲーション情報がバージョンアップしてこの道路を通るように経路変更がなされた場合、このことを知らずにいて突然新しい道路への誘導がなされた場合には、一瞬迷うようなこともあり得、運転上好ましくない。予めこのことをユーザが知っておれば、このようなことが起こることもない。
【００１５】
そこで、本発明の第３の目的は、ダウンロードされた情報の内容や、これがインストールされたことにより、ナビゲーション情報の機能変更を容易に知ることができるようにしたナビゲーション装置を提供することにある。
【００１６】
【課題を解決するための手段】
上記第１の目的を達成するために、本発明は、双方向通信手段を用いることにより、情報提供するセンタ側から地図データや施設情報などのナビゲーション情報のバーションアップのための更新データをナビゲーション装置にダウンロードし、ダウンロードされた更新データをインストールしてナビゲーション情報のバージョンアップを図る方式であって、ナビゲーション装置からダウンロード要求情報をセンタ側に送信し、センタ側では、受信したダウンロード要求情報を保持してダウンロード要求情報に該当する更新データが存在するとき、その旨を示す更新データ情報をナビゲーション装置に送信して更新データ有りの通知をし、ナビゲーション装置では、センタ側からの更新データ情報を受信すると、表示部にこの通知を表示するものである。
【００１７】
ダウンロード要求情報は、更新データのダウンロードを必要とする地域を表わす通知地域設定情報と、ナビゲーション情報を構成する情報のジャンルを表わす通知内容設定情報と、現在使用しているナビゲーション情報のバージョンを示すバージョン情報を有するものである。
【００１８】
ナビゲーション装置でダウンロードされた更新データがインストールされることにより、使用されるナビゲーション情報がバージョンアップされたとき、センタに保持されているダウンロード要求情報でのバージョン情報のバーションを変更させ、常にセンタに保持されているダウンロード要求情報でのバージョン情報のバーションとナビゲーション装置で現在使用されているナビゲーション情報のバージョンとを一致させるものである。これにより、一旦ダウンロードの要求をセンタ側にすると、この要求が解消されない限り、新たな更新データのダウンロードが行なわれるし、また、同じ更新データが繰り返してダウンロードされることがない。
【００１９】
ナビゲーション装置の表示部に全体地図を地域毎に区分して示す通知地域選択画面を表示し、通知地域選択画面から所望とする地域を選択することにより、上記の通知地域設定情報が生成され、ナビゲーション装置の表示部にジャンルのリストを示す通知内容選択画面を表示し、通知内容選択画面から所望のジャンルを選択することにより、通知内容設定情報を生成するものである。これにより、簡単な操作でもって、上記のダウンロード要求情報を作成することができる。
【００２０】
また、本発明は、上記の通知があると、ナビゲーション装置が起動しているときには、この通知をナビゲーション画面にアイコンで表示し、ナビゲーション装置が起動するときには、ダウンロードの可否を問い合わせる更新データ画面でこの通知を表示するものである。このようにして、ナビゲーション装置が起動したときには、常にこの通知が表示されるから、ユーザは必要とする更新データの有無を容易に確認することができる。
【００２１】
上記第２の目的を達成するために、本発明は、上記の通知に対して、センタから更新データのダウンロードをするときには、ナビゲーション装置の表示部に、ダウンロード中であることを示すメッセージとダウンロードの進行状況を示す情報とを示すダウンロード画面を表示するものである。要求した更新データがダウンロードされていることを確実に知ることができる。
【００２２】
また、本発明は、上記の通知に対してセンタから更新データのダウンロードをするときに、受信状態が不良の場合には、その旨を示す通信状態画面を表示するものである。これにより、必要とする更新データがダウンロードされなかったことも確実に知ることができ、再度のダウンロードを確実に受けることができるようになる。
【００２３】
また、本発明は、センタからダウンロードされる更新データが有料であるときには、ナビゲーション装置の表示部に、ダウンロードの可否を問う承認画面を表示し、この承認画面で承認されたときに、更新データのダウンロードを開始して上記のダウンロード画面を表示するものである。これにより、ユーザは必ず必要な更新データであるか否かの判断もすることができ、本当に必要な更新データのみを選択してダウンロードすることが可能となる。
【００２４】
また、本発明は、ダウンロードされた更新データがナビゲーションのプログラムソフトウェア以外の更新データであって、かかる更新データをインストールするときには、ナビゲーション情報のプログラムソフトウェアの動作によってナビゲーション装置の表示部に表示されるナビゲーション画面に、インストール中であることを示すメッセージとインストールの進行状況を示す情報とを表示し、ダウンロードされた更新データがナビゲーション情報のプログラムソフトウェアの更新データであって、かかる更新データをインストールするときには、ナビゲーション情報のプログラムソフトウェアを停止させ、ナビゲーション装置の表示部にインストールの可否を問い合わせる第１のインストール画面を表示し、第１のインストール画面でインストールの実行を指定したときのみ、プログラムソフトウェアの更新データのインストールを実行するとともに、インストール実行中であることを示すメッセージとインストールの進行状況を示す情報とを表わす第２のインストール画面を表示するものである。
【００２５】
上記第３の目的を達成するために、本発明は、ナビゲーション装置の表示部に、インストールした更新データを順番に表示し、インストールした更新データの内容を確認可能としたものである。
【００２６】
また、本発明は、ナビゲーション装置の表示部に、インストールされた更新データをナビゲーション情報のジャンル毎にリスト化して表わすジャンル選択画面を表示し、このジャンル選択画面で選択されたジャンルの更新データの内容を確認可能としたものである。
【００２７】
そして、更新データが地図データの更新データであるときには、この更新データによる更新部分がナビゲーションの地図画面上で強調して表示されるものである。このように、更新データによる更新部分を確認することができるため、ナビゲーション情報の機能向上を知ることができる。
【００２８】
【発明の実施の形態】
以下、本発明の実施形態について図面を用いて説明する。
図１は本発明によるバージョンアップ方式を用いたナビゲーション装置を有するシステムを概略的に示す構成図であって、Ａはユーザ、Ｂはセンタ、Ｃは建造物、Ｄは端末、Ｅはデータベースサーバ、１は車載用ナビゲーション装置（以下、ナビ（ＮＡＶＩ）ユニットという）、２は表示部、３は処理部、４はＨＤＤを備えた記憶メディア、５はユーザ操作入力部、６は通信端末である。以下では、車載用ナビゲーション装置を例にして説明するが、本発明は、車載用のみに限定されるものではなく、例えば、ユーザが直接持ち歩いて使用するような他の使用形態のナビゲーション装置であってもよい。
【００２９】
同図において、ユーザＡ側はナビユニット１と携帯電話機などの通信端末６とからなり、これらは図示しない車両内に載置されている。通信端末６はナビユニット１と一体のもの、もしくは固定的に接続されたものでもよいし、また、特に、携帯電話機の場合には、ナビユニット１に対して、従って、車両に対して着脱可能である。ナビユニット１はこの通信端末６を介してセンタＢ側と双方向通信可能である。また、センタＢは、地図データやプログラムソフトウェア，場所などからの地図の検索のための検索データなどのナビゲーションのための情報を蓄積したデータベースサーバＥと、これを管理してユーザＡ側と双方向通信を行なう端末Ｄなどからなり、ビルディングなどの建造物Ｃに設置されている。
【００３０】
ナビユニット１において、ナビゲーションのための地図データやプログラムソフトウェア，検索データなど（以下、ナビゲーションに必要なこれら情報をまとめてナビゲーション情報といい、かかるナビゲーション情報に必要なこれら情報の種類をジャンルという）は、記憶メディア４に格納されており、ユーザＡが、ユーザ操作入力部５を操作することにより、出発地と目的地とを指定してナビゲーションの開始を指示すると、処理部３が作動して記憶メディア４から必要なエリアの地図やプログラムソフトウェア，検索などの各ジャンルの情報からなるナビゲーション情報を読み取る。そして、このプログラムソフトウェアを実行することにより、表示部２にこのナビユニット１や通信端末６を搭載した車両（図示せず）の現在地（この場合、出発地）を含むエリアの地図と出発地からの経路とが表示されるとともに、表示部２の表示画面の中央部に車両を表わすカーマークが表示される。そして、車両がこの経路上を誘導されながら移動するとともに、カーマークがこの表示画面の中央部に固定表示されたまま地図や経路がスクロールされることにより、このカーマークが経路上を進むことになる。
【００３１】
ここで、ナビユニット１では、ユーザＡが、ナビゲーション情報のバージョンアップを図るために、表示部２での画面操作もしくはユーザ操作入力部５の操作を行なうことにより、センタＢ側に所望エリアの地図データなどを更新するデータ（以下、更新データという）のダウンロードを要求すると、そのダウンロード要求情報が通信端末６を介してセンタＢ側に送信され、センタＢ側では、端末Ｄが作動して要求されたナビゲーション情報のジャンル毎の更新データをデータベースサーバＥから読み取り、これをユーザＡ側にダウンロードする。ユーザＡ側では、ナビユニット１がこれを通信端末６を介して受信し、処理部３で後述の処理をなして記憶メディア４に記憶する。このようにしてダウンロードされた地図データなどがインストールされて、ナビゲーション情報がバージョンアップされ、これをナビゲーションに使用することができる。
【００３２】
以上が本発明を用いた車載用ナビゲーションシステムの概略であるが、次に、かかる車載用ナビゲーションシステムに用いる本発明によるナビゲーション情報のバージョンアップ方式の一実施形態について説明する。
【００３３】
図２はこの実施形態の全体的な操作処理手順の流れを概略的に示すフローチャートであり、以下、これを説明する。
【００３４】
▲１▼ナビユニット１内での初期設定（ステップ１００）：
図１及び図２において、ユーザＡは、ナビユニット１のナビゲーション情報をバージョンアップするに必要な情報、即ち、ナビゲーション情報の各ジャンルの更新データを希望するときには、ユーザ操作入力部５を操作することにより、かかる更新データを取得するための初期設定を行なう。
【００３５】
この初期設定により、ナビユニット１から通信端末６を介して更新データのダウンロード要求情報がセンタＢに送信される。センタＢでは、端末Ｄがこのダウンロード要求情報を受信すると、所定の処理の後、内蔵のメモリまたはデータベースサーバＥに格納して保持する。このダウンロード要求情報は、ナビユニット１及びこれに接続される通信端末６の固有情報（例えば、通信端末６が携帯電話機である場合には、その電話番号など）やユーザＩＤ，要求するナビゲーション情報のジャンル，現在使用しているこのナビゲーション情報のバージョンを示すバージョン情報などからなっている。
【００３６】
▲２▼通信による更新データの確認（ステップ１０１）：
センタＢ側では、端末Ｄが、受信したダウンロード要求情報を保持すると、これによって要求されるジャンルの更新データをデータベースサーバＥで探索し、このデータベースサーバＥに格納されているこのジャンルの更新データのバージョン情報とダウンロード要求情報の同じジャンルのバージョン情報とのバージョンを比較することにより、データベースサーバＥでの更新データがユーザＡのナビユニット１で現在使用されているナビゲーション情報の同じジャンルのものよりも新しいか否かを判定する。データベースサーバＥでの更新データの方が新しい場合には、端末Ｄはその旨をユーザＡ側にそのバージョン情報などでもって通知する。ナビユニット１は、その通知情報を通信端末６を介して受信すると、そのバージョン情報を図示しないＣＰＵ内蔵のＲＡＭなどに格納するとともに、その通知を、例えば、「更新データがあります」というようにして、表示部２に表示する。
【００３７】
また、データベースサーバＥでの更新データがユーザＡのナビユニット１で現在使用されているナビゲーション情報の同じジャンルのものよりも新しくない場合には、センタＢの端末Ｄからは上記の通知は行なわれない。しかし、センタＢ側では、一旦受信したユーザＡからのダウンロード要求情報は、ユーザＡ側からその解除の要求がない限り、そのまま保持されており、その後、新たなバージョンの更新データが追加されると、端末Ｄは、上記のようにバージョンの比較を行なうことにより、これを検知し、ナビユニット１に上記の通知を行なってその表示部２にその通知を表示させる。かかる通知は、ユーザＡ側からのダウンロード要求情報が保持される限り、データベースサーバＥで該当する更新データが追加される毎に行なわれる。
【００３８】
このようにして、センタＢ側から更新データ有りの通知がなされ、この通知が表示部２に表示されるものであるから、ユーザＡは、ナビゲーション情報のバージョンアップに必要な更新データの有無を、いつでも、容易に確認することができる。
【００３９】
▲３▼更新データのダウンロード（ステップ１０２）：
図３（ａ）は処理部３（図１）でのこのステップ１０２のダウンロードを実行する部分（ダウンロード実行部分）を示すブロック図であって、７は通信データ入力部、８は通信状態入力部、９は車両状態入力部、１０はダウンロード判定部、１１は通信データ記憶部であり、図１に対応する部分には同一符号をつけている。以下、図３（ａ）を参照してかかるステップ１０２を説明する。
【００４０】
上記のようにして表示部２に表示される更新データ有りの通知を見て、ユーザＡがダウンロードを受けるための操作をすると、表示部２にダウンロード可能な更新データの種類が表示され、そのうちのいずれかを選択して内容確認のための操作を行なうと、その内容に関する情報が表示部２に表示されて、ダウンロード可能な更新データを確認することができる。
【００４１】
また、表示部２で表示されるいずれかの更新データについて、ダウンロードするための選択操作をすると、センタＢからこの選択された更新データのダウンロードが行なわれる。このダウンロードされた更新データは、図３（ａ）において、通信データ入力部７から入力されてダウンロード判定部１０に供給される。
【００４２】
そこで、ダウンロード判定部１０は、通信状態入力部８からの入力情報と車両状態入力部９からの入力情報を基に、受信した更新データを取り込むか否か判定する。ここで、通信状態入力部８は、通信端末６（図１）の受信状態やバッテリの状態を検出し、車両状態入力部９は、ナビユニット１や通信端末６を搭載した車両の状態（例えば、そのバッテリの状態，走行状態など）を検出しており、いずれの検出状態も良好なとき、ダウンロード判定部１０は通信データ入力部７からの更新データを取り込み、記憶メディア４（図１）の一部に設けられた通信データ記憶部１１にそのバージョン情報とともに記憶させる。このようにして、更新データのダウンロードが行なわれ、これとともに、表示部２では、現在ダウンロード中である旨を表わす情報を表示させる。通信状態入力部８からの入力情報や車両状態入力部９からの入力情報により、更新データのダウンロードが不可の場合には、その旨を表示部２に表示させるとともに、ダウンロードを可能とするための指示を表示部２でユーザＡに行なう。
【００４３】
▲４▼更新データのインストール（ステップ１０３）：
図３（ｂ）は処理部３（図１）でのこのステップ１０３のインストールを実行する部分（インストール実行部）を示すブロック図であって、１２はインストール判定部、１３は地図データ記憶部、１４はプログラム記憶部、１５は更新情報記憶部であり、図１及び図３（ａ）に対応する部分には同一符号をつけている。以下、図３（ｂ）を参照してこのステップ１０３を説明する。
【００４４】
図３（ｂ）において、地図データ記憶部１３，プログラム記憶部１４，更新情報記憶部１５は記憶メディア４（図１）に形成されており、地図データ記憶部１３には、全国の地図データが、プログラム記憶部１４には、ナビゲーションを行なわせるためのプログラムソフトウェアが、更新情報記憶部１５には、センタＢ側からダウンロードされてインストールされた更新データが夫々バージョン情報とともに格納されている。ここで、地図データ記憶部１３に記憶されている全国の地図データは、ユーザＡがこのナビユニット１を購入したときに既にインストールされているものであって、これを変更することはできない。
【００４５】
上記のようにして、通信データ記憶部１１でのダウンロードされた更新データの記憶動作が終了し、更新データのダウンロードが終了すると、次に、ユーザＡによる表示部２（図１）の所定の画面操作もしくはユーザ操作入力部５の所定操作により、インストール判定部１２が動作し、また、通信データ記憶部１１からの更新データの読出しが行なわれる。この読み出された更新データはインストール判定部１２に供給され、この更新データが地図データの更新部分であるか、プログラムソフトウェアの更新部分であるか、あるいは検索データなどの他の情報に関するものであるかそのジャンルなどの判定がなされ、地図データや検索データなどジャンル毎に区分して更新情報記憶部１５に記憶させる。なお、プログラムソフトウェアの更新データは、さらに、プログラム記憶部１４に記憶されている現在使用のプログラムソフトウェアの更新にも用いられる。また、かかる更新データのインストール中、このインストール動作中であることを示す画面が表示部２で表示される。
【００４６】
このようにして、更新データのインストールが行なわれ、ナビゲーション情報がバージョンアップする。
【００４７】
更新データがナビゲーション用のプログラムソフトウェアに関するものである場合には、また、プログラム記憶部１４に格納されているプログラムソフトウェアがこの更新データによって更新される。このため、かかる更新データのインストール期間中では、ナビゲーションを行なうことができず、表示部２では、このインストール中であることを示す画面のみが表示される。そこで、例えば、車両の走行中にかかるインストールが行なわれると、ナビゲーションによる誘導ができなくなるので、少なくともプログラムソフトウェアの更新データに関しては、そのダウンロードの終了後、比較的短い所定時間インストールを実行するか否かをユーザが選択できるようにした画面表示をし、この所定時間経過しても、その選択操作をしなければ、更新データのインストールがなされず、自動的にナビゲーション画面に戻るようにする。そして、このような選択操作がなされないでインストールされない場合には、ナビユニット１の次回の起動時に自動的にこの更新データのインストールがなされるようにする。このようにプログラムソフトウェアの更新データがインストールされない状態にあるときには、この更新データはダウンロードされたときの通信データ記憶部１１（図３（ａ））に記憶されたままとなっている。従って、ナビゲーションのプログラムソフトウェアとしては、プログラム記憶部１４に記憶されているバージョンアップされていない現在使用のプログラムソフトウェアが用いられることになる。
【００４８】
なお、更新データがインストールされて地図データやプログラムソフトウェアなどのナビゲーション情報がバージョンアップされると、図１において、この旨がナビユニット１から通信端末６を介してセンタＢに通知され、センタＢでは、先にナビユニット１から送られたダウンロード要求情報でのバージョン情報が変更され、次の更新データのダウンロード要求に備えるものであるが、上記のように、インストールされずに更新データ（以下、これを更新データＸという）が通信データ記憶部１１に残っている場合には、センタＢ側に保持されているダウンロード要求情報でのこの更新データＸに対する情報（プログラムソフトウェア）のバージョンが元のままになっていることになる。このような状態では、このプログラムソフトウェアというジャンルに対してダウンロード可能な更新データ（即ち、更新データＸ）が存在することになる。このため、センタＢ側としては、既にダウンロードしたこの同じ更新データＸを再度ユーザＡ側のナビユニット１に送信しようとするが、そのための上記の通知の段階で通信データ記憶部１１に同じ更新データＸが格納されていて既にダウンロードされたことをナビユニット１側で検知することができ、これをセンタＢ側に通知することにより、センタＢ側では、この更新データＸに対する情報（プログラムソフトウェア）のバージョン情報を更新する。これにより、同じ更新データＸを同じナビユニット１に繰り返しダウンロードするのを防止することができる。
【００４９】
▲５▼インストール内容の確認（ステップ１０４）：
図３（ｃ）は処理部３（図１）でのこのステップ１０４のインストール内容の確認を実行する部分（内容確認実行部）を示すブロック図であって、１６は内容確認判定部、１７は音声出力部であり、図１及び図３（ｂ）に対応する部分には同一符号をつけている。以下、図３（ｃ）を参照してこのステップ１０４を説明する。
【００５０】
図３（ｃ）において、図１では図示しなかったが、ナビユニット１は音声出力部１７も有しており、音声出力もできるようにしている。
【００５１】
この実施形態では、インストールした更新データを、これによってバージョンアップしたナビゲーション情報を用いて、確認することができるようにする。
【００５２】
なお、更新情報記憶部１５では、ここに記憶された各更新データが地図データ記憶部１３に記憶されている地図データと関連付けられており、また、更新データの確認は、いつでも、何回でも、できるようにしている。
【００５３】
そこで、インストールした更新データの確認のために、ユーザＡが表示部２の画面もしくはユーザ操作入力部５で所定の操作をすると、内容確認判定部１６が動作を開始して更新情報記憶部１５からインストールされた更新データが読み出される。内容確認判定部１６は、この更新データの内容を確認判定し、この更新データが地図データの更新データであるときには、これに関連したエリアの地図データを地図データ記憶部１３から読み取り、これにこの更新データを重ね合わせて表示部２に供給する。表示部２では、この更新データで内容が更新された地図上で表示される。この地図では、この更新データによる更新部分が他と区別した表示方法で表示されており、これにより、ユーザＡは更新部分を容易に確認することができる。
【００５４】
また、更新情報記憶部１５から読み出した更新データが場所などを案内する検索データや車内から見た情景などの画像データである場合には、これを表示部２に供給して表示させるし、ナビゲーション中の誘導などのための音声データである場合には、音声出力部１７に供給して音声出力させるとともに、表示部２に供給してテキスト表示させる。
【００５５】
このようにして、インストールした更新データを確認することができる。なお、プログラムソフトウェアの更新データについては、プログラム記憶部１４で該当するプログラムソフトウェアに組み込まれている。しかし、これによって向上したプログラムソフトウェアの機能を示す情報が、更新データとして、更新情報記憶部１５にも記憶されており、これを用いて更新されたプログラムソフトウェアの機能向上などを確認することができる。
【００５６】
そして、ナビゲーションが行なわれるときには、例えば、ＧＰＳ情報などを用いて自車位置が検出され、この自車位置に応じたエリアの地図データが地図データ記憶部１３から読み出されて表示部２に供給され、この表示部２でこのエリアの地図が経路やカーマークとともに表示されるのであるが、このエリアの地図データに対して更新データがある場合には、この更新データが更新情報記憶部１５から読み出されてこの地図に重ねられて表示される。ナビゲーション情報の地図データや検索データなどのジャンルに更新がある場合、プログラムソフトウェアの更新（バージョンアップ）も伴う場合もあるが、このようなナビゲーション情報の更新の場合には、バージョンアップしたプログラムソフトウェアでもってナビゲーションが実行される。
【００５７】
このようにして、この実施形態では、バージョンアップしたナビゲーション情報の有無をユーザが容易に確認することができて、ユーザの選択により、かかるナビゲーション情報のバージョンアップのための更新データのダウンロードを要求することができるし、また、ダウンロードする更新データの確認やインストールした、かかる更新データによるナビゲーション情報の変更内容の確認を行なうことができる。
【００５８】
図４は以上の動作の手順をユーザＡ側とセンタＢ側との間で示す図である。
【００５９】
同図において、ユーザＡがナビゲーション情報のバージョンアップを希望する場合には、ユーザＡ側からセンタＢ側にダウンロード要求情報としてのユーザ設定情報１８が送信される。かかるユーザ設定情報１８は、ユーザＩＤや現在使用のナビゲーション情報のバージョン情報，バージョンアップを希望するエリア（地域）を表わす通知地域設定情報，バージョンアップの対象となる内容（地図，プログラムソフトウェア，検索，音声，画像などのジャンルなど）を示す通知内容設定情報などからなっている。
【００６０】
センタＢ側では、ユーザＡ側からのユーザ設定情報１８の内容に基づいて、ユーザＡが要求するジャンルの更新データを判定し、これをユーザ設定情報１８やユーザＡ側の通信端末６（図１）の固有情報（携帯電話機の場合には、電話番号）とともに保持する。
【００６１】
なお、更新データ１９は、バージョン情報，緯度経度などによってエリアを示すデータ地域情報，上記の情報の種類（ジャンル）などを表わすデータ内容情報，更新データ１９の具体的な内容を示す詳細情報，この更新データ１９のファイルサイズ，この更新データ１９のファイルの分割数，料金情報及びこれら情報数などからなっている。
【００６２】
ここで、データ内容情報が指定するジャンルが「地図」である場合には、詳細情報はデータ地域情報が表わすエリア（地域）の地図上での更新対象やその位置などを表わすものであり、データ内容情報が指定するジャンルが「プログラムソフトウェア」である場合には、詳細情報はその更新部分とこの更新に伴う追加の機能をテキストで表わすものである。なお、地図データなどのバージョンアップの場合、該当するプログラムソフトウェアの更新を伴う場合もあるので、このような場合には、詳細情報にかかるプログラムソフトウェアの更新部分が含まれるようにしてもよい。データ内容情報が指定するジャンルが「検索」である場合には、詳細情報は検索対象やそれらに関連する地図データの指示情報（例えば、検索対象が駅ａ，ｂ，ｃ，……とすると、これら駅毎にそれを含むエリアの地図データを指定する情報）などを表わすものであり、データ内容情報が指定するジャンルが「画像」や「音声」である場合には、詳細情報はその情報内容（音声データの場合、テキスト文書も含む）を表わすものである。また、料金情報は、この更新データをダウンロードするときにかかる料金を表わすものである。
【００６３】
以上が、図２におけるステップ１００に相当するものである。
【００６４】
センタＢ側では、ユーザ設定情報１８に対応する更新データ１９が存在することを検知すると、通信端末６（図１）と通信可能な状態にあるとき、ユーザＡ側にこの旨を示す更新データ情報２０を送信する。これにより、ユーザＡ側では、必要な更新データがあることをセンタＢ側から通知されたことになり、この更新データ情報２０をメモリに記憶するとともに、表示部２で更新データがあることを示す表示を行なう。これが図２でのステップ１０１に相当するものである。
【００６５】
ユーザＡがこの更新データ有りの確認をしてダウンロードの要求操作を行なうと、ユーザＡ側からセンタＢ側に更新データの要求がなされ、センタＢ側では、この要求を受けると、ユーザＩＤ承認情報を確認するための処理を行ない、ユーザＩＤをもって承認要求をユーザＡ側に送る。ユーザＡ側では、この要求を受けると、受信したユーザＩＤを自身のユーザＩＤと照合し、自身のユーザＩＤと要求するバージョンを示すバージョン情報とからなる承認情報２１をセンタＢ側に送信する。センタＢ側では、受信したこの承認情報２１を記憶保持し、先にユーザ設定情報１８で要求されたジャンルの更新データ１９をユーザＡ側にダウンロードする。更新データ１９は、上記のファイルサイズをなして上記の分割数ｎに分割されたヘッダ情報，データファイル１，データファイル２，……，データファイルｎから構成されており、これらヘッダ情報及びデータファイル１〜ｎ毎に誤り訂正のためのＣＲＣ（Ｃｙｃｌｉｃ　Ｒｅｄｕｎｄａｎｃｙ　Ｃｈｅｃｋ）コードが付加されている。以上が図２でのステップ１０２に相当するものである。
【００６６】
ユーザＡ側では、ダウンロードされた更新データが、上記のように、通信データ記憶部１１（図３（ａ））に記憶され、ダウンロードが完了すると、かかる更新データのインストールが実行される。これが図２でのステップ１０３に相当する。そして、ユーザＡの操作により、インストールされた更新データを確認することができる。これが図２でのステップ１０４に相当する。
【００６７】
次に、図２に示すバージョンアップの動作手順を実行するためのユーザＡの操作について説明するが、まず、図２のステップ１００について説明する。
【００６８】
〔図２の初期設定（ステップ１００）〕
図５は図２のステップ１００を実行するための操作手順の一具体例を示すフローチャートであり、図６は図５におけるステップ２０６，２０６’の一具体例を示すフローチャートである。また、図７は図５，図６に示す操作手順を実行する際の表示部２（図１）に表示される操作画面の一具体例を示す図である。なお、以下では、表示部２の表示画面をタッチパネル式とし、主として画面操作を行なうものとして説明するが、これに限るものではなく、ユーザ操作入力部５（図１）を操作するようにしてもよい。また、図７に示す各画面では、「戻る」キー２３をタッチ操作すると、１つ前の画面に表示が戻るものとする。
【００６９】
図５及び図７において、ナビユニット１が、電源を投入することにより、起動すると、まず、表示部２にメインメニュー画面▲１▼−１が表示される（ステップ２００）。このメインメニュー画面▲１▼−１には、ナビゲーションの実行のためのメニュー「案内検索」や更新データのダウンロードのためのメニュー「Ｄｏｗｎｌｏａｄ」，ダウンロード要求情報をセンタＢ側に送るためのメニュー「Ｄｏｗｎｌｏａｄ設定」，……などが設けられている。このメインメニュー画面▲１▼−１の、例えば、左辺部に設けられている「スクロール」キー２２をタッチ操作することにより、メニューの表示領域を上下にスクロールさせることができ、これにより、同時に表示できなかった他のメニューを表示させることができる。
【００７０】
更新データのダウンロード要求のための初期設定を行なう場合には、メインメニュー画面▲１▼−１において、メニュー「Ｄｏｗｎｌｏａｄ設定」を選択するタッチ操作を行なう（ステップ２０１）。なお、図５はかかる初期設定のためのフローチャートを示すものであり、図面を簡略化するため、メニュー「Ｄｏｗｎｌｏａｄ設定」が選択されるまでメインメニュー画面▲１▼−１が表示され続ける待機状態にあるものとしているが、実際には、他のメニューが選択された場合には、それに応じた表示内容に変わっていく。後述する他のフローチャートにおいても、同様である。
【００７１】
メニュー「Ｄｏｗｎｌｏａｄ設定」が選択されると、初期設定（ダウンロード要求）に必要な入力項目を設けた設定選択画面▲１▼−２が表示される（ステップ２０２）。この入力項目としては、項目「通知地域の設定」，「通知内容の設定」，「リトライ設定」などがあり、また、「スクロール」キー２２をタッチ操作することにより、項目の表示領域が上下にスクロールして他の項目も表示されるようになる。ここで、入力項目「通知地域の設定」は図４で示すユーザ設定情報１８を構成する通知地域設定情報を生成するためのものであり、また、入力項目「通知内容の設定」は同じく通知内容設定情報を生成するためのものである。
【００７２】
ここで、いま、設定選択画面▲１▼−２をタッチ操作して入力項目「通知地域の設定」を選択すると（ステップ２０３）、その詳細項目の選択のためのサブルーチンに入る（ステップ２０６）。これを図６と図７とを用いて説明する。
【００７３】
図６及び図７において、設定選択画面▲１▼−２で入力項目「通知地域の設定」を選択すると、全国地図をエリア（地域）毎に区分して示す通知地域選択画面▲１▼−３が表示され、そのエリアの区分は、例えば、○枠で囲むことによってなされている。そして、ディフォルトとして、特定のエリアが太い○枠のカーソル（以下、太枠カーソルという）２５によって囲まれている。この太枠カーソル２５で囲まれたエリアはこれが選択されている状態を示しており、通知地域選択画面▲１▼−３の初期状態では、このディフォルトのエリアが選択されている状態となっている（ステップ２０６ａ）。
【００７４】
この通知地域選択画面▲１▼−３で更新データのダウンロードを希望するエリアをタッチ操作して選択すると（ステップ２０６ｂ）、太枠カーソル２５がこの選択されたエリアに移る。あるいはまた、ユーザ操作入力部５（図１）での所定操作により、この太枠カーソル２５を移動させるようにしてもよい（ステップ２０６ｃ）。この選択後、ユーザ操作入力部５（図１）に設けられている図示しない「確定」キーを操作すると（ステップ２０６ｄ）、この選択が確定し、この確定したエリアの太枠カーソル２５内がハッチングされた、あるいは色が変わった表示の通知地域選択画面▲１▼−５に移る（ステップ２０６ｅ，２０６ｇ）。
【００７５】
また、このように表示されて選択が確定しているエリアをタッチして選択し（ステップ２０６ｂ，２０６ｃ）、さらに、「確定」キーを操作すると（ステップ２０６ｄ，２０６ｅ）、この選択の確定が解除されて細い○枠での表示となり（ステップ２０６ｆ）、ステップ２０６ｂに戻る。なお、このように選択確定が解除された結果、選択されているエリアが１つもない状態になったときには、ディフォルトが選択されている初期の通知地域選択画面▲１▼−３に戻る。
【００７６】
選択を確定するステップ２０６ｇがなされると、ステップ２０６ｂに戻り、次の希望するエリアの選択を行なうことができる。このために、「確定」キーを使用することにより、複数のエリアを順次選択することが可能となる。また、間違って選択したエリアは、このエリアを再度選択して「確定」キーを操作することにより、その選択確定を解除することができ（ステップ２０６ｂ〜２０６ｆ）、さらに、正しいエリアの選択が可能である。
【００７７】
所望のエリアの選択確定後の通知地域選択画面▲１▼−５で、あるいは所望エリアの選択が確定する前の通知地域選択画面▲１▼−３で「決定」キー２４をタッチ操作すると（ステップ２０６ｈ）、選択されたエリアの情報が通知地域設定情報（図４）として一旦記憶され（ステップ２０６ｉ）、通知地域の設定が確定する。そして、メインメニュー画面▲１▼−１を表示する図５でのステップ２００に戻る。
【００７８】
以上のように通知地域の設定が確定して通知地域設定情報が作成され、メインメニュー画面▲１▼−１が表示された図５でのステップ２００に戻る。そして、次に通知内容設定情報を作成する場合には、このメインメニュー画面▲１▼−１でメニュー「Ｄｏｗｎｌｏａｄ設定」を選択し（ステップ２０１）、設定選択画面▲１▼−２を表示させる（ステップ２０２）。そして、この設定選択画面▲１▼−２の入力項目「通知内容の設定」をタッチ操作して選択する（ステップ２０４）。これにより、通知内容設定情報の作成のためのサブルーチン（ステップ２０６’）に入る。
【００７９】
このサブルーチンも図６に示すフローチャートと同様のフローチャートであるので、図６に示すフローチャートを用いてこのサブルーチンを説明する。
【００８０】
図６及び図７において、ステップ２０６ａでは、ユーザＡが希望する更新データの内容を項目として示す通知内容選択画面▲１▼−４が表示される。この通知内容選択画面▲１▼−４で表示される項目は、「地図データ」，「検索データ」，「音声データ」などのジャンルを示すものであって、選択可能であり、また、「スクロール」キー２２をタッチ操作することにより、項目の表示部分を上下にスクロールさせることができ、これまで表示されていなかった「画像データ」などの項目（ジャンル）を表示させることができるようにする。
【００８１】
この通知内容選択画面▲１▼−４においても、その初期状態で特定の項目、ここでは、項目「地図データ」がディフォルトとして太枠カーソル２６で囲まれて選択された状態にあるが、この選択は確定していない。従って、かかる状態で他の項目をタッチ操作して選択すると、あるいはユーザ操作入力部５を操作して太枠カーソル２６を移動させることにより、このディフォルトの選択が解除され、新たに選択された項目が太枠カーソル２６で囲まれることになる。
【００８２】
通知したい内容の項目をタッチ操作で選択すると（ステップ２０６ｂ）、上記のように、この選択した項目が太枠カーソル２６で囲まれて強調表示され（ステップ２０６ｃ）、図示しない「確定」キーを押下すると（ステップ２０６ｄ）、この選択した項目の太枠カーソル２６内がハッチング、もしくは色が変えられるなどして表示される通知内容選択画面▲１▼−６に移る。これにより、この項目の選択が確定する（ステップ２０６ｅ，２０６ｇ）。しかる後、ステップ２０６ｂに移り、次の項目の選択を行なうことができる。
【００８３】
間違った項目を選択確定してしまった場合には、この項目を再度タッチ操作して選択し（ステップ２０６ｃ）、「確定」キーを操作することにより、この選択確定を解除することができる（ステップ２０６ｄ〜２０６ｆ）。また、この解除によって選択確定した項目がない場合には、ディフォルトを選択している通知内容選択画面▲１▼−４に戻ることも、先の「通知地域の設定」の場合と同様である。
【００８４】
そして、通知内容選択画面▲１▼−４のような選択確定がなされていない状態で、あるいは通知内容選択画面▲１▼−６のような選択確定がなされた状態で「決定」キー２４がタッチ操作させると（ステップ２０６ｈ）、選択された項目の内容を示す情報が通知内容設定情報（図４）として一旦記憶され（ステップ２０６ｉ）、通知内容の設定が確定する。そして、メインメニュー画面▲１▼−１を表示する図５でのステップ２００に戻る。
【００８５】
このようにして、通知地域の設定と通知内容の設定とが確定すると、これによって通知地域設定情報と通知内容設定情報とが得られたことになり、かかる通知地域設定情報と通知内容設定情報に現在のバージョン情報とユーザＩＤなどが付加されて図４に示すユーザ設定情報１８が作成され、これをダウンロード要求情報としてセンタＢ側に送信する。これにより、図２でのナビユニット１内での初期設定（ステップ１００）が行なわれたことになる。
【００８６】
図８は図２のステップ１００を実行するための操作手順の他の具体例を示すフローチャートであり、図９は図８におけるステップ３０２，３０３の一具体例を示すフローチャートである。また、図１０は図８，図９に示す操作手順を実行する際の表示部２（図１）に表示される操作画面の一具体例を示す図である。なお、図１０に示す各画面において、「戻る」キー２３をタッチ操作すると、メインメニュー画面▲１▼２−１の表示に戻るものとする。このメインメニュー画面▲１▼２−１は、図７に示すメインメニュー画面▲１▼−１と同じものである。
【００８７】
図８及び図１０において、ナビユニット１が、電源を投入することにより、起動すると、まず、表示部２にメインメニュー画面▲１▼２−１が表示される（ステップ３００）。
【００８８】
ダウンロードの要求のための初期設定をする場合には、このメインメニュー画面▲１▼２−１において、メニュー「Ｄｏｗｎｌｏａｄ設定」を選択するタッチ操作を行なう（ステップ３０１）。
【００８９】
メニュー「Ｄｏｗｎｌｏａｄ設定」が選択されると、まず、通知地域選択画面▲１▼２−３が表示されて通知地域設定のための詳細項目の選択が可能なサブルーチンに入る（ステップ３０２）。このサブルーチンを図９と図１０とを用いて説明する。
【００９０】
図９におけるステップ３０２ａ〜３０２ｇの一連の処理手順は、先に図６で説明したステップ２０６ａ〜２０６ｇの処理手順と同様であり、また、この処理のために用いる図１０での通知地域選択画面▲１▼２−３，▲１▼２−５も、図７で説明した通知地域選択画面▲１▼−３，▲１▼−５と同様である。即ち、図９に示すサブルーチン（ステップ３０２）により、図６で説明した処理手順と同様の処理手順により、更新データのダウンロードが必要なエリアの選択確定あるいは選択確定の解除することができる。
【００９１】
ところで、この初期設定の具体例では、通知地域選択画面▲１▼２−３，▲１▼２−５が表示されている状態で「戻る」キー２３をタッチ操作すると（ステップ３０２ｈ，３０２ｊ）、図８のステップ３００に戻ってメインメニュー画面▲１▼２−１が表示された状態となる。
【００９２】
また、通知地域選択画面▲１▼２−３，▲１▼２−５で「決定」キー２４をタッチ操作して通知地域の設定をすると（ステップ３０２ｉ，３０２ｋ）、この決定した選択地域の情報を通知地域設定情報としてメモリに記憶するとともに（ステップ３０２ｌ）、通知内容選択画面▲１▼２−４が表示されて通知内容設定のための詳細項目の選択が可能なサブルーチン（図８のステップ３０３）に入る（ステップ３０２ｍ）。
【００９３】
このステップ３０３のサブルーチンも図９に示すフローチャートと同様の構成をなしており、通知内容設定情報を得ることができる。かかる通知内容設定情報が得られると（ステップ３０２ｌ）、図４に示すユーザ設定情報１８が形成されてセンタＢ側に送信され、これとともに、図８のステップ３００に戻ってメインメニュー画面▲１▼２−１が表示された状態となる（ステップ３０２ｍ）。
【００９４】
なお、この具体例では、「通知地域の設定」を最初に行なうようにしたが、「通知内容の設定」を最初に行なうようにしてもよい。
【００９５】
以上のように、この初期設定の具体例も、図５〜図７で示した具体例と同様、画面操作でもってダウンロード要求のためのユーザ設定情報１８（図４）を簡単に作成することができ、しかも、図５〜図７で示した具体例に比べ、設定選択画面▲１▼−２（図７）での操作を不要とするものであるから、操作が簡略化される。
【００９６】
〔図２の更新データの確認（ステップ１０１）〕
次に、図２でのステップ１０１の具体例について説明する。
【００９７】
図１１はこのステップ１０１の処理手順の一具体例を示すフローチャートであり、図１２はこの処理手順中でナビユニット１の表示部２（図１）に表示される画面の一具体例を示す図である。
【００９８】
先に図４などで説明したように、サーバＢ側では、ユーザＡ側からのユーザ設定情報１８によるダウンロード要求があり、このユーザ設定情報１８に該当する更新データ１９がある場合には、更新データ情報２０をユーザＡ側に送信し、ユーザＡ側に該当する更新データが存在することを通知するのであるが、ユーザＡ側では、かかる通知を受けて更新データ１９があることを示す更新データ情報２０をメモリに保持する。
【００９９】
そこで、図１１及び図１２において、ナビユニット１が起動し（ステップ４００）、このとき、センタＢ側からの通知がなく、更新データ情報２０が保持されていないときには（ステップ４０１）、表示部２（図１）に通常のナビゲーション画面が表示される（ステップ４０５）。また、このとき、センタＢからの通知があって、更新データ情報２０が保持されているときには（ステップ４０１）、表示部２に図１２（ｂ）に示す更新データ画面▲２▼−２が表示される。
【０１００】
この更新データ画面▲２▼−２では、例えば、「更新データがあります。Ｄｏｗｎｌｏａｄしますか？」といったような更新データ有りのメッセージ２９と、ダウンロードするか否かを選択するための「はい」キー３０ａ，「いいえ」キー３０ｂが表示されている。ここで、「はい」キー３０ａをタッチ操作して選択すると（ステップ４０３）、後述する更新データ選択画面▲３▼−２の表示へと移行し、通知があったこの更新データのダウンロードを要求することができる（ステップ４０４）。
【０１０１】
これに対し、更新データ画面▲２▼−２で「いいえ」キー３０ｂを選択すると、あるいは所定時間経過しても、いずれのキー３０ａ，３０ｂも選択しない場合には（ステップ４０３）、図１２（ａ）に示すように、地図２７を表わす通常のナビゲーション画面▲２▼−１が表示され、かつこのナビゲーション画面▲２▼−１の隅部に更新データがあることを示すアイコン２８が表示される（ステップ４０６）。
【０１０２】
このようにして、ナビユニット１の起動時に更新データが存在することがセンタＢ側からの通知によって確認することができ、この通知がナビユニット１の起動前から既にある場合には、その起動時に図１２（ｂ）に示す更新データ画面▲２▼−２が表示され、「はい」キー３０ａを選択することにより、この更新データのダウンロードが可能となるが、図１２（ａ）に示すような地図２７が表示されたナビゲーション画面▲２▼−１でアイコン２８が表示され、更新データがあることを通知されている状態でダウンロードを行なわせるようにするためには、以下に説明するように、一旦メインメニュー画面に戻すことになる。
【０１０３】
なお、通常のナビゲーション画面だけが表示されている状態で（ステップ４０５）、センタＢ側から更新データ情報２０によって通知があると、図１２（ａ）に示すように、このナビゲーション画面▲２▼−１にアイコン２８が表示されるようになる。
【０１０４】
〔図２の更新データのダウンロード（ステップ１０２）〕
次に、図２のステップ１０２の具体例について説明する。
【０１０５】
図１３はこのステップ１０２の処理手順の一具体例を示すフローチャートであり、図１４はこの処理でナビユニット１の表示部２（図１）に表示される画面の一具体例を示す図である。
【０１０６】
図１３及び図１４において、図１２（ａ）に示すナビゲーション画面▲２▼−１でのアイコン２８をタッチ操作することにより、メインメニュー画面▲３▼−１が表示された状態となる（ステップ５００）。このメインメニュー画面▲３▼−１は図７に示したメインメニュー画面▲１▼−１と同じものであるが、「スクロール」キー２２の操作により、このメインメニュー画面▲１▼−１よりも１メニュー分下方にスクロールした表示状態にある。
【０１０７】
このメインメニュー画面▲３▼−１では、上記のような更新データの通知があって、未だこの更新データがダウンロードされていないときには、メニュー「Ｄｏｗｎｌｏａｄ」３１が選択可能に表示されており、このメニュー「Ｄｏｗｎｌｏａｄ」３１にタッチ操作すると、太枠カーソル３２がこのメニュー「Ｄｏｗｎｌｏａｄ」３１を囲んで選択された状態となり、上記の確定キーを操作してこれを選択確定すると（ステップ５０１）、現在通知があってダウンロードされていない更新データの選択画面▲３▼−２が表示部２に表示される（ステップ５０２）。なお、図１２（ｂ）に示す更新データ画面▲３▼−２で「はい」キー３０ａを選択操作したときも（図１１のステップ４０３）、この選択画面▲３▼−２が表示される（図１１のステップ４０４）。
【０１０８】
この選択画面▲３▼−２では、現在通知があってダウンロードされていない更新データの名称が、例えば、「ＶｅｒｓｉｏｎＵｐ００４」，「ＶｅｒｓｉｏｎＵｐ００５」というようにして選択可能に表示されており、常にそのいずれかが太枠カーソル３３で囲まれて選択された状態にある。
【０１０９】
この選択画面▲３▼−２で「戻る」キー２３をタッチ操作すると（ステップ５０３）、メインメニュー画面▲３▼−１の表示状態（ステップ５００）に戻るが、「内容表示」キー３４をタッチ操作すると（ステップ５０４）、選択画面▲３▼−２での太枠カーソル３３で囲まれて選択されている更新データの内容をテキストで表わした内容表示画面▲３▼−３が表示される（ステップ５０５）。この内容表示画面▲３▼−３では、道路データや検索データ，プログラムソフトウェアなどといった更新データの種類（ジャンル）や、関東，阪神といったような広域地域から市区町村といった狭域地域までの更新データの対象地域、ダウンロードされる更新データのファイル容量、ダウンロードのための予想通信時間と予想通信料金とを表わす通信時間料金、更新データが有料である場合には、データ料金などの更新データに関する情報内容３５が表示され、これにより、更新データの内容を確認することができる。この内容表示画面▲３▼−３は、「戻る」キー２３がタッチ操作されるまでそのまま表示され続け、この「戻る」キー２３がタッチ操作されると（ステップ５０６）、上記の選択画面▲３▼−２が表示された状態のステップ５０２に戻る。
【０１１０】
選択画面▲３▼−２で上記の「確定」キーを操作すると（ステップ５０７）、選択画面▲３▼−２で太枠カーソル３３によって囲まれて選択されている更新データ（図示の場合、「ＶｅｒｓｉｏｎＵｐ００４」の更新データ）の選択が確定し、そのカーソル３３の枠内がハッチングされて表示される選択画面▲３▼−４となり（ステップ５０８，５０９）、この選択画面▲３▼−４がそのまま表示された状態となる。また、かかる選択画面▲３▼−４で再度「確定」キーを操作すると（ステップ５０７）、カーソル３３の枠内がハッチングされて選択が確定している更新データ（図示の場合、「ＶｅｒｓｉｏｎＵｐ００４」の更新データ）の選択確定が解除され（ステップ５０８，５１０）、ハッチングが除かれた選択画面▲３▼−２に戻る。
【０１１１】
更新データの選択確定前の選択画面▲３▼−２や更新データの選択確定後の選択画面▲３▼−４で「決定」キー２４をタッチ操作すると（ステップ５１１）、この選択されている更新データのダウンロードのためのステップ５１２に移る。
【０１１２】
このステップ５１２では、通信状態に支障がなく、ダウンロードする更新データが有料でないときには、図３（ａ）に示すダウンロード実行部が動作し、図１５（ａ）に示すように、ナビゲーションを行なう地図などの情報にダウンロード中である旨を通知するメッセージを表わしたダウンロード画面▲４▼が表示される。このダウンロード画面▲４▼では、ダウンロードの進行とともに進行バー３６が右方に広がって、ダウンロードの進行状況も表示される。なお、この場合のナビゲーションは、プログラム記憶部１４（図３）に記憶されているこの更新前のバージョンのプログラムソフトウェアにより、更新情報記憶部１５（図３）でのこの更新前にデータを用いて行なわれているが、運転の安全性の観点から、車両を停止させているときには、現在地を表わす地図が停止して表示される。
【０１１３】
また、更新データのダウンロードが失敗した場合には、再度初めからダウンロードを再開（リトライ）し、ユーザＡが予め設定した回数リトライしても、回復できないときには、通信状態不良と判定して、図１５（ｂ）に示す通信状態画面▲５▼が表示される。この通信状態画面▲５▼には、例えば、「電波の受信状態が良くありません。場所を移動してやり直してください。」といったようなユーザＡへの指示メッセージ３７が表示される。そして、ユーザＡがこの通信状態画面▲５▼での「終了」キー３８をタッチ操作すると、メインメニュー画面▲３▼−１（図１４）に戻る。なお、上記のリトライ回数は、図７に示すように、設定選択画面▲１▼−２で項目「リトライ設定」を選択することにより、任意に設定する操作を行なうことができる。
【０１１４】
また、図３（ａ）に示すダウンロード実行部では、通信状態入力部８により、通信端末６の受信状態やバッテリ状態を検出し、また、車両状態入力部９が車両のバッテリ状態や走行状態を検出しており、これらの検出結果から受信不良あるいは受信不可（例えば、車両のバッテリ状態が不良である場合、ダウンロードを行なうと（これに続いて、インストールが自動的に行なわれる場合もある）、記憶部に充分な電圧が印加されない状態で記録動作が行なわれることになり、記憶部でのデータが壊れるおそれもある）と判定しているときには、ダウンロードを禁止し、これとともに、図１３のステップ５１２で図１５（ｂ）に示す通信状態画面▲５▼を表示してダウンロードを禁止している旨を通知する。
【０１１５】
ダウンロードする更新データが有料の場合には、図１３でのステップ５１２で図１５（ｃ）に示すような承認画面▲６▼を表示する。これは、この更新データが有料であることをユーザＡに知らせるためのメッセージ３９を表示してユーザＡの承認を求めるものであって、ユーザＡが承認のために「承認」キー４０をタッチ操作すると、ダウンロードが開始されて図１５（ａ）に示すダウンロード画面▲４▼が表示されることになり、また、不必要として「戻る」キー２３をタッチ操作すると、ダウンロードが行なわれずに、メインメニュー画面▲３▼−１あるいは選択画面▲３▼−２に戻る。
【０１１６】
〔図２の更新データのインストール（ステップ１０３）〕
次に、図２のステップ１０３の具体例について説明する。
【０１１７】
図１５（ａ）に示すダウンロード画面▲４▼の表示状態でダウンロードが進み、その後、ダウンロードが完了すると、その旨がダウンロード画面▲４▼に表示される（図示せず）。そして、更新データが地図データや検索データなどの現在実行中のプログラムソフトウェアを停止させないジャンルのものであるときには、全ての更新データのダウンロードの完了とともに、図２のステップ１０３に進み、図３（ｂ）に示すインストール実行部が動作してかかる更新データのインストールを開始する。
【０１１８】
この場合には、図１６（ａ）に示すように、ナビゲーションのための地図データなどの更新データがインストール中である旨を知らせるメッセージが表示されたインストール画面▲７▼−１が表示される。このインストール画面▲７▼−１では、インストールの進行状況を表わす進行バー４１も表示され、インストールの進行とともにこの進行バー４１が右方に広がっていく。インストールが完了すると、インストール画面▲７▼−１にその旨が表示され（図示せず）、しかる後、メインメニュー画面の表示に移る。
【０１１９】
また、インストールする更新データが、プログラムソフトウェアのように、ナビゲーション用のプログラムソフトウェアを起動させることができないようなものであるときには、このプログラムソフトウェアを停止させたままとし、図１６（ｂ）に示すようなインストール画面▲７▼−２を表示させる。このインストール画面▲７▼−２には、例えば、「インストールを実行します。実行後はシステムを再起動します。」といったようなメッセージ４２を表示するとともに、「はい」キー４３と「いいえ」キー４４とを表示し、ユーザＡがインストールするか否かを選択できるようにする。
【０１２０】
このインストール画面▲７▼−２において、例えば、車両の運転中であるため、ユーザＡが「いいえ」キー４４を選択操作すると、あるいは、所定時間いずれのキー４３，４４も選択しないと、通常のナビゲーション画面に移る。車両の停車中であれば、これを検知してメインメニュー画面▲１▼−１（図７）の表示に移るようにしてもよい。この場合、このときの更新データは通信データ記憶部１１（図３）にインストールされない状態のままで残っているが、その後のナビユニット１（図１）の再起動とともに、自動的にインストールされるようにする。
【０１２１】
また、例えば、車両が停止しているなどで、このインストール画面▲７▼−２において、ユーザＡが「はい」キー４３を選択操作すると、図３（ｂ）に示すインストール実行部が起動してインストールが行なわれ、表示部２（図１）には、その旨を示す図１６（ｂ）に示すようなインストール画面▲７▼−３が表示される。このインストール画面▲７▼−３では、「実行後はシステムを再起動します。」といったようなメッセージ４５を表示するとともに、インストールの進行状況を表わす進行バー４６も表示され、インストールの進行とともにこの進行バー４６が右方に広がっていく。インストールが完了すると、インストール画面▲７▼−３にその旨が表示され（図示せず）、しかる後、ナビゲーション画面もしくはメインメニュー画面の表示に移る。
【０１２２】
〔図２のインストール内容の確認（ステップ１０４）〕
次に、図２のステップ１０４の具体例について説明する。
【０１２３】
図１７はこのステップ１０４の処理手順の一具体例を示すフローチャートであり、図１８はこの処理手順中でナビユニット１の表示部２（図１）に表示される画面の一具体例を示す図である。
【０１２４】
図１７及び図１８において、図１６で説明したようにして更新データのインストールが完了すると、メインメニュー画面▲８▼−０が表示される（ステップ６００）。このメインメニュー画面▲８▼−０は、図７に示すメインメニュー画面▲１▼−１を「スクロール」キー２２によって１メニュー分上方にスクロールさせたものであり、メニュー「更新の確認」４７が選択できるようになっている。
【０１２５】
このメインメニュー画面▲８▼−０でこのメニュー「更新の確認」４７にタッチして選択状態とし、さらに、上記の確定キーを操作して選択を確定すると（ステップ６０２）、インストールされた更新データを選択するためのバージョン選択画面▲８▼−１が表示される。このバージョン選択画面▲８▼−１では、これまでインストールされた更新データのバージョン情報を選択項目とするリストが表示されており、今回インストールされた最新の更新データの項目（ここでは、「ＶｅｒｓｉｏｎＵｐ００４」４９）に太枠カーソル４８が付けられて選択された状態にある。勿論、他の更新データについても、その更新データの表示部にタッチすると、これにカーソル４８が付されて選択されることになり、後述のようにして、その確認が可能となる。なお、「戻る」キー２３を操作すると（ステップ６１０）、メインメニュー画面▲８▼−０（ステップ６００）に戻る。
【０１２６】
いま、このバージョン選択画面▲８▼−１において、確定キーの操作によって「ＶｅｒｓｉｏｎＵｐ００４」４９を選択確定すると（ステップ６０３）、図３（ｃ）に示す内容確認実行部が動作し、この更新データの最初の確認画面▲８▼−２を表示する（ステップ６０４）。この確認画面▲８▼−２は、例えば、地図データの更新データを表示するものであるとすると、ナビゲーションでの地図上に重ねて今回の更新部分（例えば、道路）５０が太枠や点滅表示などで強調表示される。これにより、地図データの更新データによる更新部分を確認することができる。さらに他の情報の更新データがインストールされている場合には、この確認画面▲８▼−２に「Ｎｅｘｔ（次）」キー５１が表示される。
【０１２７】
次に、この確認画面▲８▼−２で「Ｎｅｘｔ」キー５１をタッチ操作すると（ステップ６０５）、次の情報の更新データの確認画面▲８▼−３が表示される（ステップ６０６）。確認画面▲８▼−３がプログラムソフトウェアの更新データを表示するものとすると、この更新データによるプログラムソフトウェアの機能変更の内容が、例えば、「立体駐車場でのロケータ精度向上。メニュー画面デザインの変更」といったテキスト表示５３で表示される。「スクロール」キー２２を操作することにより、プログラムソフトウェアのさらに他の変更内容も確認することができる。
【０１２８】
さらに、他の更新データがある場合には、確認画面▲８▼−３に「Ｎｅｘｔ」キー５１が表示され、これをタッチ操作すると、次の更新データの確認画面▲８▼−４が表示される。この確認画面▲８▼−４が検索データの更新データに関するものとすると、この確認画面▲８▼−４での変更もしくは追加された検索項目が、例えば、太枠５４や点滅表示などによって強調表示されており、表示される検索項目をタッチ操作によって選択すると、この検索項目（例えば、「ユニバーサルスタジオＪＡＰＡＮ」という施設）が存在する地図データが表示されることになる。
【０１２９】
さらに、他の更新データがある場合には、確認画面▲８▼−４に「Ｎｅｘｔ」キー５１が表示され、これをタッチ操作すると、次の更新データの確認画面▲８▼−５が表示される。この確認画面▲８▼−５が音声データの更新データに関するものとすると、この確認画面▲８▼−５での変更もしくは追加された音声データがテキスト表示され、これとともに、音声出力部１７（図３（ｃ））からこれが音声出力される。
【０１３０】
さらに、他の更新データがある場合には、確認画面▲８▼−５に「Ｎｅｘｔ」キー５１が表示され、これをタッチ操作すると、次の画像データに関する確認画面▲８▼−６が表示される。この確認画面▲８▼−６が画像データの更新データに関するものとすると、この確認画面▲８▼−６での変更もしくは追加された画像データ（例えば、車内から見た進行方向の情景画像など）が表示される。他の更新データがある場合には、確認画面▲８▼−６に「Ｎｅｘｔ」キー５１が表示され、この更新データの確認画面を表示させることができる。
【０１３１】
このようにして、インストールされた更新データの確認画面に「Ｎｅｘｔ」キー５１が表示される限り、これをタッチ操作することにより、順次確認画面が表示されることになり、これにより、インストールされた夫々の更新データの内容を順番に確認することができる（ステップ６０５，６０６）。
【０１３２】
なお、地図データの確認画面▲８▼−２については、このジャンルで複数の更新データがダウンロードされている場合には、確認画面▲８▼−２の「Ｎｅｘｔ」キー５１をタッチ操作する毎に夫々の地図データの更新データに対する確認画面▲８▼−２が順次切り替わって表示され、地図データの全ての更新データの確認画面▲８▼−２の表示が終わると、確認画面▲８▼−３といったような他のジャンルの確認画面の表示に移る。
【０１３３】
また、上記の各確認画面には、「ＰＲＥＶ（前へ）」キー５２が表示されており、これをタッチ操作すると、表示が１つ前の確認画面に戻る（ステップ６０７，６０８）。また、上記の各確認画面の「戻る」キー２３をタッチ操作すると（ステップ６０９）、バージョン選択画面▲８▼−１に戻る。
【０１３４】
図１９は図２のステップ１０４の処理手順の他の具体例を示すフローチャートであり、図２０はこの処理手順中でナビユニット１の表示部２（図１）に表示される画面の一具体例を示す図である。
【０１３５】
図１９及び図２０において、ステップ７００〜７０３，７１２は、メインメニュー画面▲８▼２−０の表示からバージョン選択画面▲８▼２−１の表示までの処理手順であって、図１８でのメインメニュー画面▲８▼−０の表示からバージョン選択画面▲８▼−１の表示までの処理手順である図１７におけるステップ６００〜６０３，６１０と同様であり、従って、これらステップ７００〜７０３，７１２の説明は省略する。
【０１３６】
いま、表示されるバージョン選択画面▲８▼２−１での１つの項目、例えば、項目「ＶｅｒｓｉｏｎＵｐ００４」を、上記のようにして、選択確定すると（ステップ７０３）、インストールされた更新データのジャンルが選択可能にリスト化されたジャンル選択画面▲８▼２−２が表示される（ステップ７０４）。但し、バージョン選択画面▲８▼２−１で選択されたバージョンでは更新（インストール）されていないジャンルは、選択できない表示となっている。
【０１３７】
このジャンル選択画面▲８▼２−２で、「戻る」キー２３をタッチ操作すると（ステップ７１３）、先のバージョン選択画面▲８▼２−１に戻るが、１つのジャンル、例えば、「地図データ」を選択確定すると（ステップ７０５）、このジャンルの確認画面▲８▼２−３が表示され、更新データによる更新部分５０が上記のように強調表示された地図が表示される（ステップ７０６）。この確認画面▲８▼２−３でも、この同じジャンル（地図）でさらに内容の更新がある場合には、「ＮＥＸＴ」キー５１が表示されており、また、１つ前の画面に戻す「ＰＲＥＶ」キー５２も表示されている。そこで、「ＮＥＸＴ」キー５１をタッチ操作すると、同じジャンルの次の更新内容の確認画面▲８▼２−５が表示され、その更新された部分５０が上記のように強調表示された地図が表示される。この同じジャンルでさらに他の更新内容がある場合には、確認画面▲８▼２−５に「ＮＥＸＴ」キー５１が表示され、「ＮＥＸＴ」キー５１が表示される限り順次の確認画面でこの「ＮＥＸＴ」キー５１をタッチ操作していくことにより、「地図」という同じジャンルでの順次の更新内容を確認することができる（ステップ７０７，７０８）。また、「ＰＲＥＶ」キー５２をタッチ操作すると、１つ前の確認画面に順次表示が移っていくことはいうまでもない（ステップ７０９，７１０）。
【０１３８】
また、ジャンル選択画面▲８▼２−２でジャンル「検索データ」を選択確定した場合（ステップ７０５）も同様であり、このジャンルの確認画面▲８▼２−４が表示され（ステップ７０６）、「ＮＥＸＴ」キー５１が表示される限り順次の確認画面でこの「ＮＥＸＴ」キー５１をタッチ操作していくことにより、「検索」という同じジャンルでの順次の更新内容を確認することができるし（ステップ７０７，７０８）、「ＰＲＥＶ」キー５２をタッチ操作すると、１つ前の確認画面に順次表示が移っていくことはいうまでもない（ステップ７０９，７１０）。これら以外のジャンルについても、同様である。
【０１３９】
このようにして、この具体例においても、インストールされた更新データの内容を確認することができる。
【０１４０】
【発明の効果】
以上説明したように、本発明によれば、一度情報提供センタへ送ったダウンロード要求情報を基に、センタ側からこのダウンロード要求情報に該当する更新データが存在すると、直ぐにこのことがナビゲーション装置側へ通知され、ナビゲーション装置で表示部にこの通知を表示するものであるから、所望とする更新データの有無をユーザは確実に確認することができ、かかる更新データをほぼリアルで取得できるようになる。
【０１４１】
また、ナビゲーション装置の表示部に全体地図を地域毎に区分して示す通知地域選択画面を表示し、通知地域選択画面から所望とする地域を選択することにより、ダウンロード要求情報に必要な通知地域設定情報が生成され、ナビゲーション装置の表示部にジャンルのリストを示す通知内容選択画面を表示し、通知内容選択画面から所望のジャンルを選択することにより、ダウンロード要求情報に必要な通知内容設定情報を生成するものであるから、簡単な操作でもって、ダウンロード要求情報を作成することができる。
【０１４２】
また、本発明は、上記の通知が、ナビゲーション装置が起動しているときには、ナビゲーション画面にアイコンで表示され、たとえインストールされずに電源が落とされても、ナビゲーション装置が再び起動するときには、ダウンロードの可否を問い合わせる更新データ画面でこの通知を表示するものであるから、ユーザは必要な更新データがあることを常に、かつ容易に確認できる。
【０１４３】
また、本発明によると、上記の通知に対して、センタから更新データのダウンロードをするときには、ナビゲーション装置の表示部に、ダウンロード中であることを示すメッセージとダウンロードの進行状況を示す情報とを示すダウンロード画面を表示するものであるから、要求した更新データがダウンロードされていることを確実に知ることができる。
【０１４４】
また、上記の通知に対して、たとえユーザがセンタから更新データのダウンロードをすると決めても、受信状態が不良等の場合には、その旨を示す画面に表示してダウンロードを中止するものであるから、途中で更新データを受信できなくなってダウンロードが失敗してしまうことを回避できる。このことは、ナビゲーション装置側にデータを送信したことで、ナビゲーション装置側のデータが更新されたと誤って判断されてしまうことも防止できる。
【０１４５】
また、センタからダウンロードされる更新データが有料であるときには、ナビゲーション装置の表示部に、ダウンロードの可否を問う承認画面を表示し、この承認画面で承認されたときに、更新データのダウンロードを開始して上記のダウンロード画面を表示するものであるから、ユーザは必ず必要な更新データであるか否かの判断もすることができ、本当に必要な更新データのみを選択してダウンロードすることが可能となる。
【０１４６】
また、ダウンロードされた更新データがナビゲーション情報のプログラムソフトウェア以外のジャンルの更新データであって、これをインストールするときには、ナビゲーション画面にインストール中であることを示すメッセージとインストールの進行状況を示す情報とを表示し、ナビゲーション情報のプログラムソフトウェアの更新データをインストールするときには、ナビゲーション情報のプログラムソフトウェアを停止させ、ナビゲーション装置の表示部にインストールの可否を問い合わせる第１のインストール画面を表示し、第１のインストール画面でインストールの実行を指定したときのみ、プログラムソフトウェアの更新データのインストールを実行するとともに、インストール実行中であることを示すメッセージとインストールの進行状況を示す情報とを表わす第２のインストール画面を表示するものであるから、必要な更新データがインストールされているか否か、インストールされたか否かを確実に確認することができる。
【０１４７】
また、本発明によると、ナビゲーション装置の表示部に、インストールした更新データを順番に表示し、インストールした更新データの内容を確認可能としたものであるから、また、ナビゲーション装置の表示部に、インストールされた更新データをナビゲーション情報のジャンル毎にリスト化して表わすジャンル選択画面を表示し、このジャンル選択画面で選択されたジャンルの更新データの内容を確認可能としたものであるから、さらには、更新データが地図データの更新データであるときには、この更新データによる更新部分がナビゲーションの地図画面上で強調して表示されるものであるから、更新データによる更新部分を確実にかつ正確に確認することができ、ナビゲーション情報の機能向上を、特に、これを使用する前に、知ることができる。
【図面の簡単な説明】
【図１】本発明によるバージョンアップ方式を用いたナビゲーション装置を有するシステムを概略的に示す構成図である。
【図２】本発明によるナビゲーション装置の一実施形態の操作処理手順の流れを示すフローチャートである。
【図３】図２に示す実施形態でのダウンロード，インストール，内容確認の各処理を実現するための機能ブロック図である。
【図４】図２に示す実施形態を図１におけるユーザ側とセンタ側との間でのやり取りで示す図である。
【図５】図２のステップ１００を実行するための操作手順の一具体例を示すフローチャートである。
【図６】図５でのステップ２０６，２０６’の一具体例を示すフローチャートである。
【図７】図５及び図６に示す操作手順を実行する際の図１に示すナビゲーション装置における表示画面に表示される操作画面の一具体例を示す図である。
【図８】図２のステップ１００を実行するための操作手順の他の具体例を示すフローチャートである。
【図９】図８でのステップ３０２，３０３の一具体例を示すフローチャートである。
【図１０】図８及び図９に示す操作手順を実行する際の図１に示すナビゲーション装置における表示画面に表示される操作画面の一具体例を示す図である。
【図１１】図２のステップ１０１を実行するための操作手順の一具体例を示すフローチャートである。
【図１２】図１１に示す操作手順を実行する際の図１に示すナビゲーション装置における表示画面に表示される操作画面の一具体例を示す図である。
【図１３】図２のステップ１０２を実行するための操作手順の一具体例を示すフローチャートである。
【図１４】図１３に示す操作手順を実行する際の図１に示すナビゲーション装置における表示画面に表示される操作画面の一具体例を示す図である。
【図１５】図２に示すステップ１０３を実行する際の図１４に示す操作画面に続いて図１に示す車載用ナビゲーション装置における表示画面に表示される操作画面の一具体例を示す図である。
【図１６】図２のステップ１０３を実行する際の図１に示すナビゲーション装置における表示画面に表示される操作画面の一具体例を示す図である。
【図１７】図２のステップ１０４を実行するための操作手順の一具体例を示すフローチャートである。
【図１８】図１７に示す操作手順を実行する際の図１に示すナビゲーション装置における表示画面に表示される操作画面の一具体例を示す図である。
【図１９】図２のステップ１０４を実行するための操作手順の他の具体例を示すフローチャートである。
【図２０】図１９に示す操作手順を実行する際の図１に示すナビゲーション装置における表示画面に表示される操作画面の一具体例を示す図である。
【符号の説明】
１　ナビゲーション装置（ナビユニット）
２　表示部
３　処理部
４　記憶メディア
５　ユーザ操作入力部
６　通信端末
７　通信データ入力部
８　通信状態入力部
９　車両状態入力部
１０　ダウンロード判定部
１１　通信データ記憶部
１２　インストール判定部
１３　地図データ記憶部
１４　プログラム記憶部
１５　更新情報記憶部
１６　内容確認判定部
１７　音声出力部
１８　ユーザ設定情報（ダウンロード要求情報）
１９　更新データ
２０　更新データ情報
２１　承認情報
２２　「スクロール」キー
２３　「戻る」キー
２４　「決定」キー
２５，２６　太枠カーソル
２７　地図
２８　アイコン
２９　メッセージ
３０ａ　「はい」キー
３０ｂ　「いいえ」キー
３１　メニュー
３２，３３　太枠カーソル
３４　「内容表示」キー
３５　更新データの情報内容
３６　進行バー
３７　メッセージ
３８　「終了」キー
３９　メッセージ
４０　「承認」キー
４１　進行バー
４２　メッセージ
４３　「はい」キー
４４　「いいえ」キー
４５　メッセージ
４６　進行バー
４７　メニュー
４８　太枠カーソル
４９　選択項目
５０　更新部分
５１　「ＮＥＸＴ」キー
５２　「ＰＲＥＶ」キー
５３　テキスト表示
５４　太枠
【図１】
2004012319.tif 000003
【図２】
2004012319.tif 000004
【図３】
2004012319.tif 000005
【図４】
2004012319.tif 000006
【図５】
2004012319.tif 000007
【図６】
2004012319.tif 000008
【図７】
2004012319.tif 000009
【図８】
2004012319.tif 000010
【図９】
2004012319.tif 000011
【図１０】
2004012319.tif 000012
【図１１】
2004012319.tif 000013
【図１２】
2004012319.tif 000014
【図１３】
2004012319.tif 000015
【図１４】
2004012319.tif 000016
【図１５】
2004012319.tif 000017
【図１６】
2004012319.tif 000018
【図１７】
2004012319.tif 000019
【図１８】
2004012319.tif 000020
【図１９】
2004012319.tif 000021
【図２０】
2004012319.tif 000022